(57)【要約】【課題】簡単な操作で名刺交換（個人情報の交換）を実現する携帯端末装置を提供する。【解決手段】（他の携帯端末装置と）使用者個人情報１０３ｂを通知し合う名刺交換を行う携帯端末装置１は、携帯端末装置１が名刺交換を待ち受ける名刺交換待ち受け状態にあるか否かを判断する制御部１０１と、携帯端末装置１が名刺交換待ち受け状態にあるとき、名刺交換を開始するための交換開始通信を受信した場合に、使用者個人情報１０３ｂを送信する双方向無線通信部３と、を有することを特徴とする。【選択図】図２
2009141796.tif 000002
【特許請求の範囲】
【請求項１】
使用者の個人情報を通知し合う名刺交換を行う携帯端末装置であって、
携帯端末装置が前記名刺交換を待ち受ける名刺交換待ち受け状態にあるか否かを判断する制御手段と、
携帯端末装置が前記名刺交換待ち受け状態にあるとき、前記名刺交換を開始するための交換開始通信を受信した場合に、前記個人情報を前記交換開始通信を発信した端末に向けて送信する送受信手段と、
を有することを特徴とする携帯端末装置。
【請求項２】
携帯端末装置の傾きを検知する傾き検知手段を有し、
前記名刺交換待ち受け状態は、前記傾きが所定の傾き以上であることを特徴とする請求項１記載の携帯端末装置。
【請求項３】
前記名刺交換待ち受け状態は、携帯端末装置が開状態であることを特徴とする請求項１記載の携帯端末装置。
【請求項４】
携帯端末装置を操作するための操作手段を有し、
前記名刺交換待ち受け状態は、使用者が前記操作手段を操作している状態であることを特徴とする請求項１記載の携帯端末装置。
【請求項５】
携帯端末装置を操作するための操作手段を有し、
前記操作手段は、名刺交換メニューを有し、
前記名刺交換待ち受け状態は、使用者が前記名刺交換メニューを選択している状態であることを特徴とする請求項１記載の携帯端末装置。
【請求項６】
前記交換開始通信は、発信する端末の使用者の個人情報を、前記名刺交換を開始するためのトリガとともに含み、
前記送受信手段は、使用者の操作により前記交換開始通信を行うことを特徴とする請求項１から５のいずれか１項記載の携帯端末装置。
【発明の詳細な説明】
【技術分野】
【０００１】
本発明は、携帯端末装置に関し、特に、他の端末と個人情報を交換する携帯端末装置に関する。
【背景技術】
【０００２】
近時、情報の電子化のニーズは益々高まっている。ところで、一般社会で広く行われているビジネスマナーの一つに、「名刺交換」がある。名刺交換についても前述の「電子化」を行うことが考えられ、従来、特許文献１ないし４に見られる出願がある。しかしながら、特許文献１ないし４に記載の技術は、それぞれサーバによるデータベース管理が必要であるため、構築が容易ではないという問題点がある。
【０００３】
また、本発明に類似する技術として特許文献５に記載の技術がある（段落００１６−００１８参照）。個人情報を直接交換するという点で本発明と関係があるが、最初に個人情報を受け取る側における構成や動作について言及がないため、本発明とは異なる。
【特許文献１】特開２００２−００７３５８号公報
【特許文献２】特開２００２−０５８０６９号公報
【特許文献３】特開２００３−２５６６４４号公報
【特許文献４】特開２００３−３３８８８３号公報
【特許文献５】特開２００２−３６８６６９号公報
【発明の開示】
【発明が解決しようとする課題】
【０００４】
携帯端末装置において、その携帯端末装置に割り当てられた電話番号やメールアドレスなど個人情報を交換する方法として、物理的な名刺交換やメモの受け渡しが従来行われてきた。これは伝達ミスを考慮すると不便である。そこで電子的に個人情報を交換するための技術が必要となる。なお、電子的に個人情報を交換ないし通知し合うことを上記ビジネスマナーへの比喩から、以下、単に「名刺交換」という。
【０００５】
名刺交換を実現する方法としては、近年の多機能化した携帯端末においては、赤外線通信を利用する方法がある。しかしながら、赤外線通信を利用する方法であっても、名刺交換する両者ともに、何かしらの操作が必要であり、操作が煩わしいという問題点があった。例えば、先に送信する側の携帯端末が赤外線で電話帳データの一部を送信し、先に受信する側の携帯端末が受信し、登録し、さらに同じく赤外線ないし電子メールで電話帳データの一部を送信し、最後にもう一度先に送信する側の携帯端末が受信したデータを受信、登録する、といった煩瑣な操作が、それぞれの携帯端末のユーザに要求される。
【０００６】
そこで本発明は、上記実情に鑑みて、簡単な操作で名刺交換（個人情報の交換）を実現する携帯端末装置を提供することを目的とする。
【課題を解決するための手段】
【０００７】
上記目的を達成するための本発明の第１の態様は、使用者の個人情報を通知し合う名刺交換を行う携帯端末装置であって、携帯端末装置が前記名刺交換を待ち受ける名刺交換待ち受け状態にあるか否かを判断する制御手段と、携帯端末装置が前記名刺交換待ち受け状態にあるとき、前記名刺交換を開始するための交換開始通信を受信した場合に、前記個人情報を前記交換開始通信を発信した端末に向けて送信する送受信手段と、を有することを特徴とする携帯端末装置である。
【発明の効果】
【０００８】
本発明によれば、簡単な操作で名刺交換（個人情報の交換）を実現する携帯端末装置を提供することが可能となる。
【発明を実施するための最良の形態】
【０００９】
以下、本発明の実施形態を説明する。
図１は、本実施形態に係る携帯端末装置の具体例を示す外観図である。本実施形態は、図１に示すように、携帯電話機に適用できる。また、その物理的形態は、いわゆる折り畳み式及びスライド式のいずれかが望ましい。しかしながら、それ以外の形状でも設定方法を適したものにすることで適用可能である。
【００１０】
図１において、携帯端末装置１は、ディスプレイ２と双方向無線通信部３を有している。ディスプレイ２は、液晶、有機ＥＬ等の表示装置が適用できる。双方向無線通信部３は、「ＩＣチップ及び非接触ＩＣリーダ」、又は赤外線通信装置、又はＢｌｕｅｔｏｏｔｈ（登録商標）通信装置が適用できる。
【００１１】
図２に、さらに詳しい本実施形態の構成を示す。本実施形態に係る携帯端末装置１は、（図１に示した）双方向無線通信部３の他に、制御部１０１、記憶部１０２、傾き検知部１０４、開閉検知部１０５、操作部１０６を有する。
【００１２】
操作部１０６は、携帯端末装置１の使用者（以下、主に「ユーザ」という）が携帯端末装置１を操作するためのユーザインタフェースであり、通常の電話機のテンキー、ポインティングデバイス、十字キーが該当する。傾き検知部１０４は、携帯端末装置１の傾きを検知するデバイスである。なお、傾き検知部１０４は、ユーザが操作部１０６を操作中のときのみ、傾きを検知するようにしてもよい。
【００１３】
開閉検知部１０５は、携帯端末装置１の開閉状態を検知するデバイスであるが、本実施形態では特に、装置が開いている状態を検知できることが好ましい。「装置が開いている状態」とは、ここでは、折り畳み式の場合は開いている状態、スライド式の場合はスライドしている状態を言うことにする。
【００１４】
傾き検知部１０４や開閉検知部１０５の検知結果と、操作部１０６での操作内容は、携帯端末装置１の内部バスを通って制御部１０１に送られる。制御部１０１は、送られてきた情報等を基に、携帯端末装置１の全体を制御する。制御部１０１は、送られてきた情報に基づいて、携帯端末装置１が、図３と図５を用いて後述する名刺交換を、待ち受けている状態（以下、「名刺交換待ち受け状態」という）にあるか否かを判断し、名刺交換待ち受け状態である場合に双方向無線通信部３を用いて名刺交換させる機能を備える。
【００１５】
制御部１０１の判断の基準となるのは、記憶部１０２に格納されている名刺交換制御情報１０３ａである。記憶部１０２は、半導体メモリ等の不揮発性メモリが適用できる。記憶部１０２は、名刺交換制御情報１０３ａと使用者個人情報１０３ｂを格納している。
【００１６】
名刺交換制御情報１０３ａは、名刺交換待ち受け状態が具体的にどのような状態であるかという設定に関する情報である。制御部１０１は、名刺交換制御情報１０３ａを参照して、傾き検知部１０４や開閉検知部１０５の検知結果又は操作部１０６での操作内容等の情報に基づき、携帯端末装置１が名刺交換待ち受け状態であるか否かを判断する。
【００１７】
本実施形態において、名刺交換制御情報１０３ａは、以下に挙げるもののいずれか、又は、その組み合わせである。
・端末を開いているとき（又はスライドしているとき）
・ディスプレイ２が点灯しているとき
・ユーザにより端末が傾けられていて、その傾きが所定の傾き以上であるとき
・ユーザが操作部１０６の任意のボタンを押下している（又は触っている）とき
【００１８】
名刺交換制御情報１０３ａは、上記のように、端末形状の変化やボタン押下など、ユーザが意識的に行う操作に設定される。そのため、ユーザは、本実施形態による名刺交換を意識的に行う必要がある。したがって、本実施形態によれば、無意識に個人情報が漏れてしまうといったことを防ぐことが可能になる。
【００１９】
使用者個人情報１０３ｂは、携帯端末装置１の所有者（ユーザ）の個人情報である。個人情報は、携帯端末装置１に割り当てられている電話番号やメールアドレスを含む。使用者個人情報１０３ｂは、図３と図５を用いて後述する名刺交換における、「名刺」の役割を果たす。
【００２０】
次に、本実施形態による個人情報の交換動作（以下、「名刺交換」という）について説明する。図３に、非接触ＩＣ通信やＢｌｕｅｔｏｏｔｈ（登録商標）通信により、名刺交換を行うための操作方法（図３における操作方法（１））を示す。非接触ＩＣ通信やＢｌｕｅｔｏｏｔｈ（登録商標）通信は、ユーザが受信する操作を必要とせずに装置同士を近づけることで、双方向の通信が可能である。本例では、双方向無線通信部３の通信方式に非接触ＩＣ通信又はＢｌｕｅｔｏｏｔｈ（登録商標）通信を適用し、この特性を利用する。
【００２１】
図３において、携帯端末Ａ及びＢの２台は、いずれも本実施形態に係る携帯端末装置である。ここで、携帯端末Ａを持ち、先に送信を行う側のユーザをａとし、携帯端末Ｂを持ち、先に受信を行う側のユーザをｂとする。名刺交換に先立ち、ユーザｂは、事前設定を行う。事前設定は、端末の状態に依存した設定であり、図２で示した名刺交換制御情報１０３ａの設定である。
【００２２】
名刺交換動作における、最初の通信を「交換開始通信」という。交換開始通信は、図３に示す例においては、携帯端末Ａから携帯端末Ｂに向けて最初に送信される通信である。名刺交換は、まず、ユーザａが携帯端末Ａのメニューから、送りたい個人データ（使用者個人情報１０３ｂ）を選択し、「名刺交換」を選択する。これにより、交換開始通信が開始する。携帯端末Ａと携帯端末Ｂを近づけることで、非接触ＩＣ通信（又はＢｌｕｅｔｏｏｔｈ（登録商標））が行われる。
【００２３】
交換開始通信は、ユーザａの個人情報である、携帯端末Ａの使用者個人情報１０３ｂを含む。また、さらに、名刺交換を開始するためのトリガとなるデータ（以下、単に「トリガ」という）も含む。なお、交換開始通信の発信は、携帯端末Ａの双方向無線通信部３が行う。
【００２４】
次に、携帯端末Ｂは、交換開始通信を受信して名刺交換動作を行う。したがって、以下、携帯端末Ｂの動作を図４のフローチャート参照しながら説明する。
携帯端末Ｂの双方向無線通信部３は、交換開始通信を受信すると、制御部１０１に受信データを渡す（ステップＳ４０１）。制御部１０１は、交換開始通信の受信データからトリガを取り出し、携帯端末Ｂが名刺交換待ち受け状態であるか否かの確認を始める（ステップＳ４０２／Ｙｅｓ）。トリガがない場合は、本実施形態では何もしない（ステップＳ４０２／Ｎｏ）。
【００２５】
制御部１０１は、携帯端末Ｂが名刺交換待ち受け状態であるか否かの確認を、名刺交換制御情報１０３ａと、各検知部等（傾き検知部１０４、開閉検知部１０５、操作部１０６）が検知した内容とを比較することによって行う。名刺交換制御情報１０３ａが「所定の角度以上の傾きを検知しており、且つ、所定のボタンの押下を検知している場合」であって、実際これらの条件を満たしていれば、携帯端末Ｂが名刺交換待ち受け状態にある、とする。
【００２６】
制御部１０１は、携帯端末Ｂが名刺交換待ち受け状態にある場合（ステップＳ４０３／Ｙｅｓ）、交換開始通信の受信データからユーザａの個人情報を取り出し、記憶部１０２に格納する。この動作によって、携帯端末Ｂは、ユーザａの個人情報を登録する（ステップＳ４０４）。なお、携帯端末Ｂが名刺交換待ち受け状態にない場合は、本実施形態では何もしない（ステップＳ４０３／Ｎｏ）。
【００２７】
次に、制御部１０１は、記憶部１０２から使用者個人情報１０３ｂを読み出して、これを双方向無線通信部３に送信させる（ステップＳ４０５）。これによって、携帯端末Ｂから携帯端末Ａへのユーザｂの個人情報の転送が実現する。また、携帯端末Ａでは、双方向無線通信部３がユーザｂの個人情報を受信し、制御部１０１は、それを記憶部１０２に格納する。これによって、携帯端末Ａはユーザｂの個人情報の登録が実現する。
【００２８】
以上の動作をもって、個人情報の交換、すなわち名刺交換動作が完了する。以上に説明した本実施形態の動作によれば、先に受信を行う端末のユーザは、名刺交換にあたって特別な操作を要求されることがない。したがって、名刺交換は、少なくとも片方のユーザ（先に受信を行うユーザｂ）が意識せずに実現する。しかしながら、本実施形態によれば、特別な操作ではないながらも端末を傾ける等の軽易な操作が必要なため、個人情報が無意識に漏出してしまうことを防ぐことができる。
【００２９】
次に、図５に、赤外線通信により、名刺交換を行うための操作方法（図５における操作方法（２））を示す。操作方法（２）は、基本的に上述の操作方法（１）と同じである。しかしながら、赤外線通信の特質に合わせて、それぞれの端末で各ユーザが手動で行う操作が異なる。以下、操作方法（１）と異なる点のみ説明する。
【００３０】
先に送信する側の携帯端末Ａは、操作メニューの一つに「名刺交換（先：送信）」が割り当てられており、ユーザａが本操作メニューを選択すると、交換開始通信が始まるよう構成されている。
【００３１】
先に受信する側の携帯端末Ｂは、操作メニューの一つに「名刺交換（先：受信）」が割り当てられており、ユーザｂが本操作メニューを選択すると、携帯端末Ｂが名刺交換待ち受け状態に入るよう構成されている。名刺交換制御情報１０３ａは、ユーザが操作部１０６を操作して「名刺交換（先：受信）」メニューを選択した場合に、携帯端末Ｂが名刺交換待ち受け状態にある、とする。
【００３２】
本実施形態によれば、本実施形態に係る携帯端末装置２台の赤外線受光部を近づけることで赤外線通信が行われ、ユーザａの個人情報が携帯端末Ｂに自動登録される。また、携帯端末Ｂは、自動登録を契機として携帯端末Ａにユーザｂの個人情報を自動で赤外線通信により送信する。送信されたユーザｂの個人情報も携帯端末Ａに登録され、個人情報の交換が完了する。すなわち、特別な操作を必要とせずに、名刺交換が実現する。
【００３３】
以上、本発明の好適な実施の形態について説明したが、本発明はこれに限定されるものではなく、要旨を逸脱しない範囲内で種々の変形実施が可能である。
【図面の簡単な説明】
【００３４】
【図１】本発明の実施形態に係る携帯端末装置の具体例を示す外観図である。
【図２】本発明の実施形態に係る携帯端末装置の構成を示すブロック図である。
【図３】本発明の実施形態に係る携帯端末装置による名刺交換動作（その１）を説明するための図である。
【図４】本発明の実施形態に係る携帯端末装置による名刺交換動作を示すフローチャートである。
【図５】本発明の実施形態に係る携帯端末装置による名刺交換動作（その２）を説明するための図である。
【符号の説明】
【００３５】
１    携帯端末装置
２    ディスプレイ
３    双方向無線通信部
１０１    制御部
１０２    記憶部
１０３ａ    名刺交換制御情報
１０３ｂ    使用者個人情報
１０４    傾き検知部
１０５    開閉検知部
１０６    操作部
【図１】
2009141796.tif 000003
【図２】
2009141796.tif 000004
【図３】
2009141796.tif 000005
【図４】
2009141796.tif 000006
【図５】
2009141796.tif 000007